(57)【要約】【課題】ディスプレイとカメラが異なる筐体に搭載されていても、容易にカメラ撮影することができる折り畳み式携帯電話機を得る。【解決手段】前面又は背面にカメラ５を設けた第１筐体２、この第１筐体２と開閉自在に連結され、上記カメラ５で撮影する画像を表示する表示部を上記第１筐体２前面との合わせ面８又は該合わせ面に対する背面６のうち少なくとも一方に設けた第２筐体３を備え、カメラ撮影モード時、上記第１筐体２と上記第２筐体３とを略１８０度の角度に開いた状態で保持可能にした。【選択図】          図４
2004274319.tif 000002
【特許請求の範囲】
【請求項１】
前面又は背面にカメラを設けた第１筐体、この第１筐体と開閉自在に連結され、上記カメラで撮影する画像を表示する表示部を上記第１筐体前面との合わせ面又は該合わせ面に対する背面のうち少なくとも一方に設けた第２筐体を備え、カメラ撮影モード時、上記第１筐体と上記第２筐体とを略１８０度の角度に開いた状態で保持可能にしたことを特徴とする携帯電話機。
【請求項２】
通話モード時、第１筐体と第２筐体とを１８０度未満の、他の所定の角度で保持可能にしたことを特徴とする請求項１記載の携帯電話機。
【請求項３】
第１筐体と第２筐体とが略１８０度の角度に開いた状態から閉じられるときに所定の角度に保持されることを特徴とする請求項２記載の携帯電話機。
【請求項４】
第１筐体と第２筐体とが略１８０度の角度に開いたことを検知すると、カメラ撮影モードに移行することを特徴とする請求項１記載の携帯電話機。
【発明の詳細な説明】
【０００１】
【発明の属する技術分野】
この発明は、表示部側筐体とは異なる筐体にカメラが内蔵された折り畳み式携帯電話機に関する。
【０００２】
【従来の技術】
従来の携帯電話機においては、一方の筐体の背面に設けられた内蔵カメラで撮影しているユーザ自身の映像を、他方の筐体の背面に設けられたサブディスプレイを利用して表示することを可能にしている（例えば、特許文献１参照）。
【０００３】
【特許文献１】
特開２００２−３００２３７公報（第３−５頁、第１図）
【０００４】
【発明が解決しようとする課題】
従来の折り畳み式携帯電話機では、閉じた状態、及び通話するときに適した角度（例えば、略１６０度）に開いた状態で、折り畳み式携帯電話機の２つの筐体が保持可能な構成になっている。しかし、ディスプレイとカメラが異なる筐体に搭載されているので、開いた状態でカメラ撮影する場合、ユーザがディスプレイを見る角度とカメラが被写体に向けられる角度が異なってしまうため、撮影し難いという問題点があった。
【０００５】
この発明は、上記のような課題を解決するためになされたもので、ディスプレイとカメラが異なる筐体に搭載されていても、容易にカメラ撮影することができる折り畳み式携帯電話機を提供することを目的とするものである。
【０００６】
【課題を解決するための手段】
この発明に係る携帯電話機は、前面又は背面にカメラを設けた第１筐体、この第１筐体と開閉自在に連結され、上記カメラで撮影する画像を表示する表示部を上記第１筐体前面との合わせ面又は該合わせ面に対する背面のうち少なくとも一方に設けた第２筐体を備え、カメラ撮影モード時、上記第１筐体と上記第２筐体とを略１８０度の角度に開いた状態で保持可能に構成したものである。
【０００７】
【発明の実施の形態】
実施の形態１．
図１及び図２は、実施の形態１〜３に係る携帯電話機１を示す概略外観図であり、図１は携帯電話機１を開いた状態を前面から見た正面図であり、図２は携帯電話機１を開いた状態を背面から見た背面図である。
図において、携帯電話機１は第１筐体２と第２筐体３がヒンジ４を介して開閉可能に接続されている。
第１筐体２の背面側にはカメラモジュール５が内蔵されている。ユーザがユーザ自身を撮影するときには、カメラモジュール５のある背面側をユーザ自身に向けて、サブディスプレイ６を見ながら被写体がフレーム内に収まっていることを確認し、キー操作部７を操作して撮影する。ユーザが景色や他人を撮影するときには、カメラモジュール５のある背面側を景色や他人に向けて、メインディスプレイ８を見ながら被写体がフレーム内に収まっていることを確認し、キー操作部７を操作して撮影する。
また、携帯電話機１で通話するときには、通話相手の音声がレシーバ９から出力され、ユーザはマイクロフォン１０に向けて音声を入力する。
【０００８】
図３は、実施の形態１〜３に係る携帯電話機１を示すブロック図である。
携帯電話機１でカメラ撮影を開始するときには、ユーザがキー操作部７を操作すると、制御部１１はＲＯＭ１１ａに格納された制御プログラムを実行し、カメラモジュール５を動作させて撮影している映像をメインディスプレイ８又はサブディスプレイ６に表示させる。ここで、ユーザはメインディスプレイ８又はサブディスプレイ６を見ながら被写体がフレーム内に収まっていることを確認してキー操作部７を操作すると、制御部１１はカメラモジュール５により撮影している画像を確定し、ＲＡＭ１１ｂに保存する。また、ユーザがキー操作部７を操作してＲＡＭ１１ｂに保存された画像を読み出す指示を入力すると、制御部１１はＲＡＭ１１ｂから保存している画像を読み出してメインディスプレイ８又はサブディスプレイ６に表示させる。
次に、携帯電話機１で通話するときには、アンテナ１２を介して送受信した音声信号が通話モジュール１３にて信号処理され、制御部１１は信号処理された音声信号を音声に変換してレシーバ９から出力する。また、ユーザがマイクロフォン１０に向けて音声を入力すると、制御部１１がマイクロフォン１０から入力された音声を音声信号に変換して、通話モジュール１３及びアンテナ１２を介して送信される。
また、折り畳み式の携帯電話機１を開閉すると、開閉検知部１４は携帯電話機１が開いた又は閉じたことを検出する。検出結果が制御部１１に伝達されると、制御部１１は携帯電話機１の開閉に応じた種々の制御を行う。
【０００９】
図４は、この実施の形態１〜３に係る携帯電話機１を開いた状態を側面から見た断面図である。ここで、図４（ａ）は携帯電話機１で通話を行う場合であり、従来同様、ユーザが通話をするのに適した角度である略１６０度の角度で保持されている。図４（ｂ）は携帯電話機１でカメラ撮影を行う場合であり、略１８０度の角度で保持されている。
また、図１の開閉検知部１４は、マグネット１５と開閉検知センサ１６により構成されている。
【００１０】
次に、図５は、この実施の形態１で使用され、携帯電話機１を開閉するときのヒンジ４の特性図である。横軸は第２筐体３を開閉中にユーザが開閉操作を中止した角度であり、縦軸はユーザが開閉操作を中止した角度に対して、第１筐体２と第２筐体３が保持される角度を示している。
第１筐体２と第２筐体３が０度から１５度未満の角度でユーザが開閉操作を中止すると、０度すなわち第１筐体２と第２筐体３とが閉じられて保持される。１５度から１５０度未満の角度、又は１６０度を超えて１７０度未満の角度でユーザが開閉操作を中止すると、第１筐体２と第２筐体３とは開閉操作が中止された角度を維持する。１５０度から１６０度までの角度でユーザが開閉操作を中止すると、第１筐体２と第２筐体３とは１６０度の角度で保持され、１７０度から１８０度までの角度でユーザが開閉操作を中止すると、１８０度すなわち第１筐体２と第２筐体３とが水平または平行の位置関係に開かれて保持される。
このヒンジ４は、第１筐体２と第２筐体３とを閉じるときも同様の特性となる。
【００１１】
次に、図１〜図５により、携帯電話機１での通話及びカメラ撮影の動作と携帯電話機１の開閉角度との関係について説明する。
【００１２】
ユーザが通話を行うときには、図４（ａ）のように、第１筐体２と第２筐体３とを略１６０度の角度に開く。
この角度はユーザが通話を行うときには、レシーバ９とマイクロフォン１０がユーザの耳と口に対して適切な位置となり、通話に適した角度となるが、カメラモジュール５での撮影には適していない角度である。つまり、ユーザが他人を撮影するときには、カメラモジュール５はＡ方向を向いており、メインディスプレイ８はＢ方向を向いている。カメラモジュール５をユーザに対して平行になるように向きを合わせると、メインディスプレイ８がユーザに対して下向きになるため、ユーザは被写体がフレーム内に収まって撮影できるのかを確認し難く、逆に、ユーザが見易いようにメインディスプレイ８をユーザに対して平行になるように向きを合わせると、カメラモジュール５が被写体に対して下向きになるため、被写体の撮影が適切に行えなくなる。また、ユーザがユーザ自身を撮影するときには、カメラモジュール５はＡ方向を向いており、サブディスプレイ６はＣ方向を向いている。カメラモジュール５をユーザに対して平行になるように向きを合わせると、サブディスプレイ６がユーザに対して上向きになるため、ユーザは被写体であるユーザ自身がフレーム内に収まって撮影できるのか否かを確認し難く、逆に、サブディスプレイ６をユーザに対して平行になるように向きを合わせると、カメラモジュール５が被写体に対して下向きになるため、被写体の撮影が適切に行えなくなる。
【００１３】
そこで、ユーザがカメラモジュール５で撮影をするときには、図４（ｂ）のように、第１筐体２と第２筐体３とを略１８０度の角度に開くようにする。
この角度は、図４（ａ）とは異なり、ユーザが通話をするときには、レシーバ９とマイクロフォン１０がユーザの耳と口に対して何れかが離れた位置となり、ユーザは通話をし難いと感じるため、ユーザが通話を行うのには適していない角度であるが、カメラモジュール５での撮影には適した角度である。ユーザが他人を撮影するときには、カメラモジュール５はＡ方向、メインディスプレイ８はＢ方向を向いており、カメラモジュール５とメインディスプレイ８の向く方向が平行になる。そこで、カメラモジュール５又はメインディスプレイ８をユーザに対して平行になるように向きを合わせると、メインディスプレイ８又はカメラモジュール５もユーザに対して平行になり、ユーザは被写体がフレーム内に収まって撮影できるのか否かを容易に確認できる。また、ユーザがユーザ自身を撮影するときには、カメラモジュール５はＡ方向、サブディスプレイ６はＣ方向を向いており、カメラモジュール５とサブディスプレイ６の向く方向が同方向となる。そこで、カメラモジュール５又はサブディスプレイ６をユーザに対して平行になるように向きを合わせると、サブディスプレイ６又はカメラモジュール５もユーザに対して平行になり、ユーザは被写体がフレーム内に収まって撮影できるのか否かを容易に確認できる。
【００１４】
これによって、ユーザが、携帯電話機１を使用して、通話と撮影の両方を良好に行うことが可能になる。
【００１５】
実施の形態２．
実施の形態１では、図５の特性を示すヒンジ４を使用したが、この実施の形態２では、図６の特性を示すヒンジ４を使用する。図６（ａ）は、ユーザが携帯電話機１を開くときのヒンジ４の特性を示し、図６（ｂ）は、ユーザが携帯電話機１を閉じるときのヒンジ４の特性を示している。
図６（ａ）の横軸は第２筐体３をユーザが開く操作を中止した角度であり、縦軸はユーザが開く操作を中止した角度に対して、第１筐体２と第２筐体３が保持される角度を示している。第１筐体２と第２筐体３が０度から１５度未満の角度でユーザが開く操作を中止すると、０度すなわち第１筐体２と第２筐体３とが閉じられて保持される。１５度から１７０度未満の角度でユーザが開く操作を中止すると、第１筐体２と第２筐体３は開く操作が中止された角度を維持する。１７０度から１８０度までの角度でユーザが開く操作を中止すると、１８０度すなわち第１筐体２と第２筐体３とが水平または平行の位置関係に開かれて保持される。
図６（ｂ）の横軸は第２筐体３をユーザが閉じる操作を中止した角度であり、縦軸はユーザが閉じる操作を中止した角度に対して、第１筐体２と第２筐体３が保持される角度を示している。第１筐体２と第２筐体３が１８０度から１７０度までの角度でユーザが閉じる操作を中止すると、１８０度すなわち第１筐体２と第２筐体３とが水平または平行の位置関係に開かれて保持される。１７０度未満から１６０度までの角度でユーザが閉じる操作を中止すると、第１筐体２と第２筐体３は１６０度の角度で保持される。１６０度未満から１５度までの角度でユーザが閉じる操作を中止すると、第１筐体２と第２筐体３とは閉じる操作が中止された角度を維持する。１５度未満から０度までの角度でユーザが閉じる操作を中止すると、０度すなわち第１筐体２と第２筐体３とが閉じられて保持される。
【００１６】
携帯電話機１での通話及びカメラ撮影の動作と携帯電話機１の開閉角度との関係については、実施の形態１と同様である。
【００１７】
このように、図６の特性を有するヒンジ４を使用すると、実施の形態１で使用したヒンジ４とは異なり、第１筐体２と第２筐体３とを１８０度に開きたいときに、一旦１６０度で保持されることがないので、スムーズに１８０度に開くことができ、すばやくカメラ撮影モードに移行することができる。
【００１８】
また、実施の形態１では図５の特性を、実施の形態２では図６の特性を有するヒンジ４を使用したが、略１６０度及び略１８０度で保持可能であれば、どのようなヒンジ４を使用してもよい。
【００１９】
実施の形態３．
以下、携帯電話機１の開閉動作に応じた制御について説明する。
図４において、第１筐体２と第２筐体３が開くとマグネット１５が開閉検知センサ１６に近づき、略１８０度に開いたときに、開閉検知センサ１６が第１筐体２と第２筐体３とが略１８０度に開いたとことを検知する。つまり、開閉検知センサ１６は、図４（ａ）のような略１６０度の角度では検知せず、図４（ｂ）のように略１８０度の角度になったときに始めて検知する。
他の構成は、実施の形態１の場合と同様であるので、ここでの説明は省略する。
【００２０】
次に、図３及び４により、携帯電話機１での通話及びカメラ撮影の動作と携帯電話機１の開閉角度との関係について説明する。
【００２１】
ユーザが通話を行うときには、図４（ａ）のように、第１筐体２と第２筐体３とを略１６０度の角度に開いて保持する。ここでは、開閉検知センサ１６は第１筐体２と第２筐体３が略１８０度に開いたことを検知していない。
【００２２】
次に、ユーザがカメラモジュール５で撮影をするときには、図４（ｂ）のように、第１筐体２と第２筐体３とを略１８０度の角度に開いて保持する。
ここで、開閉検知センサ１６が、第１筐体２と第２筐体３が略１８０度に開いたことを検知すると、制御部１１は、カメラモジュール５を動作させて撮影している映像をメインディスプレイ８又はサブディスプレイ６に表示させるカメラ撮影モードに移行する。その後、ユーザがメインディスプレイ８又はサブディスプレイ６に表示された映像を確認しながら画像を撮像する動作は、実施の形態１と同様である。
【００２３】
このように、第１筐体２が略１８０度に開くことでカメラ撮影モードにすばやく移行するので、シャッターチャンスを逃さすことなく被写体を撮像することができる。
【００２４】
この実施の形態１〜３では、カメラモジュール５を第１筐体の背面に搭載した場合について説明したが、第１筐体の前面に搭載した場合においても、同様の効果が得られる。
【００２５】
【発明の効果】
以上述べたように、この発明に係る携帯電話機は、第１筐体の前面又は背面に設けたカメラで撮影するとき、第１筐体及び表示部を設けた第２筐体とを略１８０度の角度に開いた状態で保持可能にしたので、表示部とカメラが異なる筐体に搭載されていても、上記カメラで容易に撮影できる効果がある。
【図面の簡単な説明】
【図１】この発明に係る携帯電話機１を示す概略外観図であり、携帯電話機１を開いた状態を前面から見た正面図である。
【図２】この発明に係る携帯電話機１を示す概略外観図であり、携帯電話機１を開いた状態を背面から見た背面図である。
【図３】この発明に係る携帯電話機１を示すブロック図である。
【図４】この発明に係る携帯電話機１を開いた状態を側面から見た断面図である。
【図５】実施の形態１に係る携帯電話機１を開閉するときのヒンジ４の特性図である。
【図６】実施の形態２に係る携帯電話機１を開閉するときのヒンジ４の特性図である。
【符号の説明】
１  携帯電話機
２  第１筐体
３  第２筐体
４  ヒンジ
５  カメラモジュール
６  サブディスプレイ
８  メインディスプレイ
９  レシーバ
１０  マイクロフォン
１１  制御部
１４  開閉検知部
【図１】
2004274319.tif 000003
【図２】
2004274319.tif 000004
【図３】
2004274319.tif 000005
【図４】
2004274319.tif 000006
【図５】
2004274319.tif 000007
【図６】
2004274319.tif 000008